(57)【特許請求の範囲】
【請求項１】
ガイド溝が側面に形成されたラックギアが、表示面の裏面に固定されてなる表示パネルと、
前記表示パネルのガイド溝に嵌合するローラを介して、前記表示パネルをスライド自在に保持すると共に、端部にヒンジが形成されたパネル保持部と、
前記パネル保持部のヒンジを介して前記パネル保持部を回動自在に保持すると共に、軸支する伝達ギア及び同軸ギアにより所定の駆動力を伝達させる保持駆動部と、
前記保持駆動部の同軸ギアと噛合するスライドラックギアが固定され、前記保持駆動部の同軸ギアにより伝達される駆動力により、前記保持駆動部をスライド自在に保持する本体と、を備えた電子機器であって、
前記保持駆動部は、同軸ギアを所定のモータにて回転させ、前記パネル保持部を、前記表示パネルと共に、前記本体に対して水平方向にスライド移動させ、
前記パネル保持部は、前記表示パネルと係合し、前記表示パネルのスライド移動をロックするロック部材を有しており、当該ロック部材により、ヒンジを介して回動している状態で、前記表示パネルのスライド移動を停止させ、
前記ロック部材は、前記パネル保持部材が前記本体と略直交する位置まで回動した際に、前記保持駆動部と当接して前記表示パネルとの係合を外し、
前記パネル保持部は、前記本体と略直交する位置まで回動した際に、前記保持駆動部の伝達ギアに前記表示パネルのラックギアを噛合させ、前記ロック部材による前記表示パネルとの係合が外れた状態で、前記保持駆動部の伝達ギアから伝達される駆動力に応じて、前記表示パネルをスライド移動させる、
ことを特徴とする電子機器。
【請求項２】
ガイド溝が側面に形成されたラックギアが、表示面の裏面に固定されてなる表示パネルと、
前記表示パネルのガイド溝に嵌合するローラを介して、前記表示パネルをスライド自在に保持すると共に、端部にヒンジが形成されたパネル保持部と、
前記パネル保持部のヒンジを介して前記パネル保持部を回動自在に保持すると共に、軸支する伝達ギア及び同軸ギアにより所定の駆動力を伝達させる保持駆動部と、
前記保持駆動部の同軸ギアと噛合するスライドラックギアが固定され、前記保持駆動部の同軸ギアにより伝達される駆動力により、前記保持駆動部をスライド自在に保持する本体と、を備えた電子機器の駆動機構であって、
前記保持駆動部は、同軸ギアを所定のモータにて回転させ、前記パネル保持部を、前記表示パネルと共に、前記本体に対して水平方向にスライド移動させ、
前記パネル保持部は、前記表示パネルと係合し、前記表示パネルのスライド移動をロックするロック部材を有しており、当該ロック部材により、ヒンジを介して回動している状態で、前記表示パネルのスライド移動を停止させ、
前記ロック部材は、前記パネル保持部材が前記本体と略直交する位置まで回動した際に、前記保持駆動部と当接して前記表示パネルとの係合を外し、
前記パネル保持部は、前記本体と略直交する位置まで回動した際に、前記保持駆動部の伝達ギアに前記表示パネルのラックギアを噛合させ、前記ロック部材による前記表示パネルとの係合が外れた状態で、前記保持駆動部の伝達ギアから伝達される駆動力に応じて、前記表示パネルをスライド移動させる、
ことを特徴とする駆動機構。
【発明の詳細な説明】
【０００１】
【発明の属する技術分野】
この発明は、電子機器および駆動機構に関する。
【０００２】
【従来の技術】
従来より、車載用テレビやナビゲーション装置等の車載用電子機器において、表示パネル（液晶モニタ等）が使用されている。このような表示パネルを用いた車載用電子機器には、表示パネルを本体内に収納できるタイプの機種も知られている。この種の車載用電子機器は、未使用時に表示パネルを本体内の収納部に収納し、そして、使用時に本体前面の使用位置まで表示パネルを移動（スライド移動及び、チルト移動等）させる。
【０００３】
このような車載用電子機器の一例を図５に示す。図５は、表示パネル９１が本体９２の前面の使用位置に移動された状態を示す外観斜視図である。この車載用電子機器は、概略すると、表示パネル９１と、本体９２と、アーム９３とを含んで構成される。
【０００４】
表示パネル９１は、アーム９３を介して本体９２により回動自在に支持されている。なお、表示パネル９１は、裏面にチルトギア等が配置され、このチルトギアが本体９２内に配置された伝達ギア（後述するメカアッセンブリの一部）と噛合する。そして、伝達ギアの回転に伴いチルトギアが回転し、表示パネル９１は、アーム９３の支軸を中心として回動する。
【０００５】
本体９２は、表示パネル９１等を収納する収納部や、表示パネル９１を表示制御する制御回路等を備えると共に、アーム９３を含んだメカアッセンブリをスライド自在に保持する。
このメカアッセンブリには、アーム９３の他に、スライド移動機構及び、チルト移動機構が含まれている。スライド移動機構は、メカアッセンブリを本体９２内において、スライド移動させるためのスライドモータや同軸ギア等からなる。また、チルト移動機構は、表示パネル９１をチルト移動させるためのチルトモータや伝達ギア等からなる。
【０００６】
そして、アーム９３は、メカアッセンブリがスライド移動する際に、表示パネル９１を保持したまま移動し、また、チルト移動の際に、支軸を中心として回動する表示パネル９１を適宜保持する。
【０００７】
以下、このような従来の車載用電子機器の動作について図６を参照して説明する。図６（ａ）〜（ｄ）は、表示パネル９１が本体９２内の収納位置から本体９２の前面の使用位置まで移動する様子を説明するための模式図である。
なお、車載用電子機器は、車両内の格納箇所（例えば、インストルメントパネルの開口部）に取り付けられているものとする。
【０００８】
まず、表示パネル９１が本体９２内に収納された状態において、メカアッセンブリのスライド移動機構が駆動を開始すると、図６（ａ）に示すように、表示パネル９１が本体９２の前面（矢印方法）に向けてスライド移動する。
そして、図６（ｂ）に示すように、表示パネル９１が本体９２内から完全に排出されると、スライド移動機構は、その駆動を停止する。そして、今度は、メカアッセンブリのチルト移動機構が駆動を開始する。
このチルト移動機構の駆動に伴い、回転駆動力が表示パネル９１のチルトギアに伝達され、表示パネル９１は、図６（ｃ）に示すように、矢印方向に向けて起き上がるように回動する（チルトアップする）。
【０００９】
表示パネル９１は、チルト移動機構の駆動に伴ってこのままチルト動作を続け、図６（ｄ）に示すように、例えば、アーム９３と直交する使用位置までチルトアップする。表示パネル９１がこの使用位置まで回動すると、チルト移動機構は、その駆動を停止する。
このように、従来の車載用電子機器は、本体９２内に収納していた表示パネル９１を、利用者が使用する際に、本体９２の前面の使用位置まで移動させることができる。
【００１０】
【発明が解決しようとする課題】
しかしながら、上述の車載用電子機器において、表示パネル９１の使用位置が適切な位置とならない場合があった。
例えば、図６（ｄ）に示すように、車両に格納される本体９２の上部にエアコンの吹出口９４等が配置されているケースでは、使用位置にて停止した表示パネル９１が吹出口９４を塞ぎ、吹出口９４からの冷風等の排出を妨げることとなる。
その他にも、使用位置にて停止した表示パネル９１が、利用者による本体９２のボタン操作やメディアの挿入・排出等の妨げになってしまう場合もあった。
【００１１】
この発明は、上記実状に鑑みてなされたもので、表示パネルの使用位置を適切に調整することのできる電子機器および駆動機構を提供することを目的とする。
【００１２】
【課題を解決するための手段】
上記目的を達成するため、本発明の第１の観点に係る電子機器は、
ガイド溝が側面に形成されたラックギアが、表示面の裏面に固定されてなる表示パネルと、
前記表示パネルのガイド溝に嵌合するローラを介して、前記表示パネルをスライド自在に保持すると共に、端部にヒンジが形成されたパネル保持部と、
前記パネル保持部のヒンジを介して前記パネル保持部を回動自在に保持すると共に、軸支する伝達ギア及び同軸ギアにより所定の駆動力を伝達させる保持駆動部と、
前記保持駆動部の同軸ギアと噛合するスライドラックギアが固定され、前記保持駆動部の同軸ギアにより伝達される駆動力により、前記保持駆動部をスライド自在に保持する本体と、を備えた電子機器であって、
前記保持駆動部は、同軸ギアを所定のモータにて回転させ、前記パネル保持部を、前記表示パネルと共に、前記本体に対して水平方向にスライド移動させ、
前記パネル保持部は、前記表示パネルと係合し、前記表示パネルのスライド移動をロックするロック部材を有しており、当該ロック部材により、ヒンジを介して回動している状態で、前記表示パネルのスライド移動を停止させ、
前記ロック部材は、前記パネル保持部材が前記本体と略直交する位置まで回動した際に、前記保持駆動部と当接して前記表示パネルとの係合を外し、
前記パネル保持部は、前記本体と略直交する位置まで回動した際に、前記保持駆動部の伝達ギアに前記表示パネルのラックギアを噛合させ、前記ロック部材による前記表示パネルとの係合が外れた状態で、前記保持駆動部の伝達ギアから伝達される駆動力に応じて、前記表示パネルをスライド移動させる、
ことを特徴とする。
【００１３】
上記目的を達成するため、本発明の第２の観点に係る駆動機構は、
ガイド溝が側面に形成されたラックギアが、表示面の裏面に固定されてなる表示パネルと、
前記表示パネルのガイド溝に嵌合するローラを介して、前記表示パネルをスライド自在に保持すると共に、端部にヒンジが形成されたパネル保持部と、
前記パネル保持部のヒンジを介して前記パネル保持部を回動自在に保持すると共に、軸支する伝達ギア及び同軸ギアにより所定の駆動力を伝達させる保持駆動部と、
前記保持駆動部の同軸ギアと噛合するスライドラックギアが固定され、前記保持駆動部の同軸ギアにより伝達される駆動力により、前記保持駆動部をスライド自在に保持する本体と、を備えた電子機器の駆動機構であって、
前記保持駆動部は、同軸ギアを所定のモータにて回転させ、前記パネル保持部を、前記表示パネルと共に、前記本体に対して水平方向にスライド移動させ、
前記パネル保持部は、前記表示パネルと係合し、前記表示パネルのスライド移動をロックするロック部材を有しており、当該ロック部材により、ヒンジを介して回動している状態で、前記表示パネルのスライド移動を停止させ、
前記ロック部材は、前記パネル保持部材が前記本体と略直交する位置まで回動した際に、前記保持駆動部と当接して前記表示パネルとの係合を外し、
前記パネル保持部は、前記本体と略直交する位置まで回動した際に、前記保持駆動部の伝達ギアに前記表示パネルのラックギアを噛合させ、前記ロック部材による前記表示パネルとの係合が外れた状態で、前記保持駆動部の伝達ギアから伝達される駆動力に応じて、前記表示パネルをスライド移動させる、
ことを特徴とする。
【００１７】
【発明の実施の形態】
本発明の実施の形態にかかる移動自在の表示パネル（表示モニタ）を備えた車載用電子機器について、以下図面を参照して説明する。
【００１８】
図１（ａ）は、車載用電子機器の構成（内部構造）を説明するための平面図である。また、図１（ｂ）は、表示パネル１の側面図である。なお、図１は、表示パネル１がチルトアップされていない状態を示す図である。そして、表示パネル１が後述するように手動によりチルトアップされると、図５に示した従来の車載用電子機器と同様に、表面（表示面）が前面を向くことになる。
【００１９】
図１に戻って、この車載用電子機器は、図示するように、概略して、表示パネル１と、パネル保持アッセンブリ２と、メカアッセンブリ３と、本体４とを含んで構成される。
【００２０】
表示パネル１は、例えば、表面（図１においては、底面）にＬＣＤ（Liquid Crystal Display）ユニット等が配置されたパネル（モニタ）であり、本体４内の図示せぬ制御回路等に制御され、所定の文字や図形情報等を表示する。
また、表示パネル１の裏面には、図１（ａ）に示すように２つの上下スライドラックギア１１が固定して配置されている。
【００２１】
上下スライドラックギア１１は、表示パネル１がチルトアップした際に、後述する伝達ギア（パネル保持アッセンブリ２の伝達ギア３６ａ，３６ｂ）とそれぞれ噛合し、伝達ギアの回転に伴い、表示パネル１と共にスライド移動する。
また、上下スライドラックギア１１は、図１（ｂ）に示すように、側面にガイド溝１２が刻設されている。そして、このガイド溝１２には、後述するガイドローラ（パネル保持アッセンブリ２のガイドローラ２２）が嵌合され、表示パネル１は、パネル保持アッセンブリ２によってスライド移動自在に保持される。
また、表示パネル１の裏面には、後述するパネルロック部材（パネル保持アッセンブリ２のパネルロック部材２１）と係合するための図示せぬ切り欠き部が刻設されている。
【００２２】
パネル保持アッセンブリ２は、図２（ａ）に示すように、上面板２ａと、２つの側面板２ｂと、上面板２ａに対して所定の角度に傾斜した斜面板２ｃとからなり、表示パネル１を移動自在に保持すると共に、メカアッセンブリ３に回動自在に支持される。
具体的にパネル保持アッセンブリ２は、上面板２ａと斜面板２ｃとに渡って刻設された孔２ｄ内に、パネルロック部材２１を回動自在に保持する。また、各側面板２ｂの内側にそれぞれ２つ（合計４つ）のガイドローラ２２を軸支する。更に、斜面板２ｃの端部には、ヒンジ２３が設けられている。
【００２３】
パネルロック部材２１は、図２（ｂ）に示すように、略直方体の形状に爪部２１ａと、突起部２１ｂと、軸孔２１ｃと、ピン２１ｄとが形成された部材である。
このパネルロック部材２１は、パネル保持アッセンブリ２の孔２ｄ内に設けられた所定の支軸が、スプリング２１ｅを挟んで、軸孔２１ｃに嵌合されることにより、パネル保持アッセンブリ２によって回動自在に保持される。その際、スプリング２１ｅがピン２１ｄに掛けられて固定されるため、スプリング２１ｅの復元力により、パネルロック部材２１は、爪部２１ａの先端方向に向けて付勢される。そして、パネルロック部材２１は、軸孔２１ｃを中心として回動し、表示パネル１の裏面に刻設された切り欠き部に、爪部２１ａが係合する。
なお、突起部２１ｂが押圧されると、軸孔２１ｃを中心として逆方向に回動し、切り欠き部と爪部２１ａとの係合が外れる。
【００２４】
ガイドローラ２２は、側面板２ｂの内側に回転自在に軸支されて、図１（ｂ）に示すように、上下スライドラックギア１１のガイド溝１２に嵌合する。そして、パネル保持アッセンブリ２は、このガイド溝１２に沿って、表示パネル１をスライド自在に保持する。
なお、上述のパネルロック部材２１の爪部２１ａが、表示パネル１の裏面に刻設された切り欠き部に係合している状態では、表示パネル１はスライドできないものとし、突起部２１ｂが押圧され、切り欠き部と爪部２１ａとの係合が外れた状態において、表示パネル１がスライド可能となる。
【００２５】
ヒンジ２３は、メカアッセンブリ３の端部と接合されている。そして、このヒンジ２３を介して、パネル保持アッセンブリ２は、メカアッセンブリ３に回動自在に保持される。
【００２６】
図１に戻って、メカアッセンブリ３は、表示パネル１を本体４に対して水平方向にスライドさせ、また、チルトアップされた表示パネル１を本体４の前面において上下方向（本体４に対して垂直方向）にスライドさせるための駆動機構である。具体的にメカアッセンブリ３は、所定のメカシャーシ上に、２つのサイドアーム３１と、水平スライドモータ３２と、同軸ギア３３ａ，３３ｂと、連結軸３４と、上下スライドモータ３５と、伝達ギア３６ａ，３６ｂとが配置されて構成される。
なお、メカアッセンブリ３の端部が、上述のヒンジ２３にてパネル保持アッセンブリ２と結合されているため、メカアッセンブリ３は、パネル保持アッセンブリ２を介して、表示パネル１を回動自在に保持する。
【００２７】
２つのサイドアーム３１は、同軸ギア３３ａ，３３ｂと、伝達ギア３６ａ，３６ｂとを軸支する。
水平スライドモータ３２は、同軸ギア３３ａの近傍に配置され、回転軸に嵌合された例えば、はすば歯車を介して同軸ギア３３ａと噛合する。そして、水平スライドモータ３２は、回転駆動により生じた駆動力を同軸ギア３３ａ等に伝達する。
【００２８】
同軸ギア３３ａ，３３ｂは、連結軸３４により軸支されている。また、連結軸３４は、２つのサイドアーム３１により挟持されている。
同軸ギア３３ａは、上述した水平スライドモータ３２のはすば歯車等と噛合する。また、同軸ギア３３ａ，３３ｂは、後述するスライド用ラックギア（本体４の２つのスライド用ラックギア４１）と噛合する。そして、水平スライドモータ３２が回転駆動すると、同軸ギア３３ａに駆動力が伝わり、連結軸３４によって同軸ギア３３ａ，３３ｂが共に回転する。そして、同軸ギア３３ａ，３３ｂの回転により、噛合するスライド用ラックギア上をメカアッセンブリ３が水平方向にスライド移動する。
その際、メカアッセンブリ３とヒンジ２３にて結合されたパネル保持アッセンブリ２と共に、表示パネル１も同様に水平方向にスライド移動する。つまり、水平スライドモータ３２の回転方向に応じて、表示パネル１が、排出方向（図中のＬ方向）又は、収納方向（図中のＲ方向）の何れかに水平移動する。
【００２９】
上下スライドモータ３５は、伝達ギア３６ａの近傍に配置され、回転軸に嵌合された例えば、はすば歯車を介して伝達ギア３６ａと噛合する。そして、上下スライドモータ３５は、回転駆動により生じた駆動力を伝達ギア３６ａに伝達する。
【００３０】
伝達ギア３６ａ，３６ｂは、上述のサイドアーム３１に軸支されている。また、伝達ギア３６ａは、上述した上下スライドモータ３５のはすば歯車等と噛合する。
更に、伝達ギア３６ａ（伝達ギア３６ｂ）は、図３に示すように、表示パネル１がチルトアップされた状態で、上述した上下スライドラックギア１１と噛合する。そして、上下スライドモータ３５の回転駆動に伴い、伝達ギア３６ａが回転することにより、噛合する上下スライドラックギア１１と共に表示パネル１が上下方向にスライド移動する。
【００３１】
図１に戻って、本体４は、図示していないが、表示パネル１等を収納する収納部や、表示パネル１（ＬＣＤユニット等）を表示制御する制御回路等が配置されている。同様に、水平スライドモータ３２及び上下スライドモータ３５を駆動させる駆動回路等も配置されている。
また、本体４には、２つのスライド用ラックギア４１が固定して配置されている。
【００３２】
スライド用ラックギア４１は、同軸ギア３３ａ，３３ｂと噛合する。すなわち、本体４は、スライド用ラックギア４１等を介してメカアッセンブリ３をスライド自在に保持する。
【００３３】
以下、この実施の形態に係る車載用電子機器の具体的な動作について図４を参照して説明する。図４（ａ）〜（ｅ）は、本体４内部に格納されていた表示パネル１が、本体４の前面の使用位置に配置されるまでの動作を説明するための模式図である。なお、車載用電子機器は、車両内の格納箇所（例えば、インストルメントパネルの開口部）に取り付けられているものとする。
【００３４】
まず、本体４内部に表示パネル１が収容されている状態で、水平スライドモータ３２が回転駆動し、メカアッセンブリ３がスライド移動する。すなわち、水平スライドモータ３２の回転駆動力が同軸ギア３３ａに伝わり、同軸ギア３３ａ，３３ｂが共に回転する。そして、同軸ギア３３ａ，３３ｂの回転により、メカアッセンブリ３がスライド用ラックギア４１上をスライド移動する。
このメカアッセンブリ３の移動に伴って、図４（ａ）に示すように、表示パネル１が本体４の前面（矢印方向）に向けてスライド移動する。
【００３５】
表示パネル１（メカアッセンブリ３）が所定位置まで移動すると、水平スライドモータ３２は、回転を停止する。すなわち、図４（ｂ）に示すように、表示パネル１が、本体４の前面に完全に排出される所定位置まで達すると、例えば、マイクロスイッチが押圧される等により、水平スライドモータ３２の回転が停止する。
【００３６】
この状態で、利用者は、表示パネル１を手動でチルトアップする。すなわち、ヒンジ２３にてパネル保持アッセンブリ２がメカアッセンブリ３と回動自在に保持されているため、図４（ｃ）に示すように、利用者に押された表示パネル１がパネル保持アッセンブリ２と共に回動する。
なおこの際、表示パネル１が回動して傾斜しても、パネルロック部材２１の爪部２１ａが、表示パネル１の裏面に刻設された切り欠き部に係合しているため（突起部２１ｂが押圧されていない状態において）、表示パネル１がスライド移動しない。
【００３７】
表示パネル１は、利用者に押されるままチルト動作を続け、図４（ｄ）に示すように、例えば、本体４と直交する位置まで回動する。表示パネル１がこの位置まで回動すると、上下スライドラックギア１１は、伝達ギア３６ａ，３６ｂと噛合する。
またこの際、パネルロック部材２１の突起部２１ｂが、メカアッセンブリ３の端部によって押圧される。このため、パネルロック部材２１が回動して、爪部２１ａと表示パネル１の切り欠き部との係合が外れ、パネル保持アッセンブリ２が移動可能となり、表示パネル１のチルト動作が終了する（それ以上の回動が行えなくなる）。
【００３８】
表示パネル１のチルト動作が終了すると、例えば、パネル昇降ボタンが利用者に押下される等により、上下スライドモータ３５が回転駆動し、表示パネル１は、図４（ｅ）に示すように、本体４に対して直交したまま、矢印方向に向けてスライド移動する。すなわち、上下スライドモータ３５の駆動に伴って、伝達ギア３６ａが上下スライドラックギア１１に噛合しながら回転することにより、表示パネル１は、上下スライド移動する。
【００３９】
この上下スライド移動により、表示パネル１は、利用者が任意に指定した使用位置（例えば、エアコンの吹出し口等を覆わない位置）まで移動する。この結果、表示パネルの使用位置を適切に調整することができる。
【００４０】
上記の実施の形態では、パネル昇降ボタン等により、表示パネル１をスライド移動させるため、利用者が毎回パネル昇降ボタン等を操作する必要がある。しかしながら、利用者は、一般に同じ使用位置にて表示パネル１を使用するため、任意の使用位置を一度記憶させると、次回から自動的に、その使用位置に移動できるようにしてもよい。
例えば、表示パネル１のチルト動作が終了すると、マイクロスイッチが押下される等により、上下スライドモータ３５が駆動を開始する。そして、記憶した使用位置まで、表示パネルを自動的に移動させると、上下スライドモータ３５が自動的に駆動を停止する。
この場合、利用者の操作負担を軽減させることができる。
【００４１】
また、使用位置にて停止した表示パネル１が、利用者による本体４のボタン操作やメディアの挿入・排出等の妨げになってしまう場合もある。このような場合、利用者は、例えば、パネル昇降ボタンを押下して、表示パネル１をチルトアップした位置（チルトアップエンド位置）まで上昇させ、本体４のボタン操作やメディアの挿入・排出等を行う。そして、再度パネル昇降ボタンを押下して、表示パネル１を使用位置まで戻す。
このような、再度のボタン操作を省くため、チルトアップエンド位置に移動した表示パネル１が自動的に使用位置まで戻るようにしてもよい。
例えば、チルトアップエンド位置に移動した際に、所定のタイマにて計時を開始し、所定時間（任意に設定可）経過すると、上下スライドモータ３５が駆動を開始し、記憶した使用位置まで、表示パネル１を自動的に移動させる。
【００４２】
更に、メディアの挿入時等において、パネル昇降ボタンの操作をすることなく、表示パネル１を自動的に上下スライド移動できるようにしてもよい。
例えば、メディア検出センサ等を表示パネル１に設置し、利用者がメディアを挿入口付近に近づけると、メディア検出センサがメディアの接近を検出する。そして、これに応答して、上下スライドモータ３５が駆動を開始し、表示パネル１をチルトアップエンド位置まで自動的に上昇させる。
この場合も、同様に、チルトアップエンド位置に移動した後、所定時間が経過すると、記憶した使用位置まで、表示パネル１を自動的に戻す。
【００４３】
このように、上述した車載用電子機器は、表示パネル１をパネル保持アッセンブリ２（ガイドローラ２２）にて保持するため、表示パネル１のガタツキを抑えることができ、機械的強度も向上させることができる。
また、駆動系が一箇所にまとまっているため、省スペース化を実現できると共に、配線の引き回しも容易となる。
また、表示パネル１のチルト動作を手動にて行えるため、従来の車載用電子機器と比較して、機械的強度が向上し、また、省スペース化を実現できると共に、コストの削減にも寄与できる。
【００４４】
また、パネルロック部材２１により、表示パネル１が上下スライド動作時にだけ移動が可能となり、その他の動作時に表示パネル１がパネル保持アッセンブリ２に固定される。このため、チルト動作時や水平スライド動作時において、表示パネル１のガタツキを抑制することができる。
また、表示パネル１がチルトアップエンド位置にまで回動（チルトアップ）すると、パネルロック部材２１により、表示パネル１とパネル保持アッセンブリ２との係合が自動的に外れる。一方、表示パネル１をチルトダウンさせると、表示パネル１とパネル保持アッセンブリ２とが自動的に係合する。このため、利用者は、表示パネル１とパネル保持アッセンブリ２との係合（ロック）を別段操作する必要がない。
【００４５】
また、表示パネル１の使用位置を記憶させることにより、利用者が表示パネル１を手動でチルトアップするだけで、表示パネル１を記憶させた使用位置に、自動的に移動させることができる。
また、使用位置よりチルトアップエンド位置に表示パネル１が移動してから、所定時間（任意に設定可）経過すると、表示パネル１を自動的に使用位置まで戻るようにすることにより、利用者の操作負担を軽減させることができる。
【００４６】
このように、上述の車載用電子機器によれば、表示パネルの使用位置を適切に調整することができる。
【００４７】
上記の実施の形態では、駆動系が全てメカアッセンブリ３に配置されている場合について説明したが、駆動系の一部、例えば、伝達ギア３６ａ，３６ｂ等が上下スライドラックギア１１と共に表示パネル１の裏面に配置されていてもよい。この場合、伝達ギア３６ａ，３６ｂと上下スライドラックギア１１とが常に噛合し、表示パネル１がチルトアップした際に、伝達ギア３６ａ等に上下スライドモータ３５の駆動力が伝達されるようにする。
【００４８】
【発明の効果】
以上説明したように、本発明によれば、表示パネルの使用位置を適切に調整することができる。
【図面の簡単な説明】
【図１】本発明の実施の形態に係る車載用電子機器の構成（内部構造）の一例を示す図であって、（ａ）が平面図であり、（ｂ）が側面図である。
【図２】（ａ）がパネル保持アッセンブリの斜視図であり、（ｂ）がパネルロック部材の斜視図である。
【図３】表示パネルがチルトアップされた際に、伝達ギアが上下スライドラックギアと噛合する様子を示す模式図である。
【図４】（ａ）〜（ｅ）共に、車載用電子機器の具体的な動作を説明するための模式図である。
【図５】従来の車載用電子機器の一例を示す外観斜視図である。
【図６】（ａ）〜（ｄ）共に、従来の車載用電子機器の動作を説明するための模式図である。
【符号の説明】
１    表示パネル
２    パネル保持アッセンブリ
３    メカアッセンブリ
４    本体
１１  上下スライドラックギア
１２  ガイド溝
２１  パネルロック部材
２２  ガイドローラ
３１  サイドアーム
３２  水平スライドモータ
３３ａ，３３ｂ  同軸ギア
３４  連結軸
３５  上下スライドモータ
３６ａ，３６ｂ  伝達ギア
４１  スライド用ラックギア
【図１】
0004045085.tif 000002
【図２】
0004045085.tif 000003
【図３】
0004045085.tif 000004
【図４】
0004045085.tif 000005
【図５】
0004045085.tif 000006
【図６】
0004045085.tif 000007